(57)【要約】【課題】着脱操作が容易で確実に結合でき、しかも装身具の無端状（環状）部分の長さを任意に調節できて、見栄えも損なわない装身具用留め具を提供する。【解決手段】閉ループの半周以上を構成し装身具接続部１３を設けた第１の弧状部材１１と、閉ループの残りの部分を構成する第２の弧状部材１２の各一端部を軸着し、その第１の弧状部材１１の全内周に沿って弧状弾性片１４を嵌合支持させる。弧状弾性片１４の先端突出部１４ｄを第１の弧状部材１１の他端部から突出させ、その先端突出部１４ｄの内周側に係合用凹凸１４ｇを設け、第２の弧状部材１２の他端部に弧状弾性片１４の先端突出部１４ｄを挿入させる逃がし溝１２ｃと係合用凹凸１４ｇと係合する係止部１２ｇとを設け、その外周側に爪掛け用の突起１２ｄを設けた。【選択図】        図４
2007301174.tif 000002
【特許請求の範囲】
【請求項１】
閉ループの半周以上を構成し外周部に装身具接続部を設けた第１の弧状部材と、前記閉ループの残りの部分を構成する第２の弧状部材と、前記第１の弧状部材にその全内周に沿って嵌合されるバネ性を有する金属材からなる弧状弾性片とからなり、
前記第１の弧状部材の一端部と前記第２の弧状部材の一端部とを前記閉ループを形成する面に直交する方向の軸によって相対回動可能に軸着し、前記弧状弾性片の一端部と長手方向の中間部をそれぞれ前記軸に平行な方向のピンによって前記第１の弧状部材に支持させ、前記弧状弾性片の他端部を前記第１の弧状部材の他端部から前記閉ループに沿う方向に突出させ、その突出部の内周側に係合用凹凸を設け、前記第２の弧状部材の他端部に前記弧状弾性片の前記突出部を挿入させる逃がし溝と前記係合用凹凸と係合する係止部とを設け、該他端部の外周側に爪掛け用の突起を設けたことを特徴とする装身具用留め具。
【請求項２】
前記第１の弧状部材と前記第２の弧状部材と前記弧状弾性片とが、いずれもホワイトゴールド等の貴金属によって形成されていることを特徴とする請求項１記載の装身具用留め具。
【請求項３】
前記第１の弧状部材が前記閉ループの全周の２／３程度を構成することを特徴とする請求項１又は２記載の装身具用留め具。
【請求項４】
前記弧状弾性片の前記突出部の内周側に前記閉ループに沿う方向に間隔を置いて複数の係合用凹凸を設けたことを特徴とする請求項１から３のいずれか一項に記載の装身具用留め具。
【発明の詳細な説明】
【技術分野】
【０００１】
この発明は、装身具用留め具に関し、特に真珠や水晶等の宝玉を糸や鎖で連珠状に連結して、無端状に形成されるネックレス（ペンダントトップを備えたものも含む）やブレスレット等の装身具を無端状に接続するのに使用される留め具に関する。
【背景技術】
【０００２】
ネックレスやブレスレット等の連珠状装身具を無端状に接続する留め具としては、従来は連珠状装身具の一端に取り付けた引き輪又フックと、他端に取り付けた止め輪又は孔開きプレートとを組み合わせたものが一般的であった（例えば特許文献１参照）。
【特許文献１】特開２０００−２１０１１０号公報
【０００３】
図１０に引き輪と止め輪の組み合わせの例を示す。引き輪３は、一部に開口３０ａを有する環状の外筒３０内に円弧状のスライドピン３１を設け、図示しないスプリングによって開口３０ａを閉じる方向に突出付勢し、そのスライドピン３１に設けたつまみ部３２を外筒３０に形成した図示しないスリットから外部に突出させ、そのつまみ部３２を矢示方向に移動することによって、スライドピン３１を開口３０ａを開放する位置に移動させることが出来る。その状態で、開口３０ａから止め輪４を挿入させ、つまみ部３２を離せば、スライドピン３１がスプリングの付勢力によって元に戻って開口３０ａを閉じるため、止め輪４が抜けなくなる。
【０００４】
そこで、ネックレス等の装身具５の宝玉５１を連接する糸条５２の一端５２ａに引き輪３を取り付け、他端５２ｂに止め輪４を取り付けておけば、この引き輪３と止め輪４によって装身具５の両端を連結して無端状にしたり、その連結を解除して１本にしたりすることができる。
【０００５】
フックと孔開きプレートとを組み合わせたものは、図１１に示すように、装身具５の宝玉５１を連接する糸条５２の一端５２ａにフック６を、他端に孔開きプレート７をそれぞれ取り付ける。そして、フック６の鉤形本体６０の開口部６０ａを塞ぐ板バネ６１を矢示方向に押し下げながら孔開きプレート７の孔に鉤形本体６０を挿入させると、板バネ６１が図示の位置に戻って孔開きプレート７が抜けなくなる。フック６の板バネ６１を指で矢示方向に押し下げれば、開口部６０ａが開いて孔開きプレート７を抜くことができる。
【発明の開示】
【発明が解決しようとする課題】
【０００６】
図１０に示した引き輪３は小さな部品であり、そのつまみ部３２はさらに小さいため、そこに指先を掛けてスプリングの付勢力に抗してスライドピン３１と共に矢示方向に移動させて、開口３０ａを開放させた状態を保ちながら、その小さな開口３０ａを通して止め輪４を着脱する作業はかなり難しかった。
また、図１１に示したフック６も小さな部品であり、その板バネ６１を弾性力に抗して指先で押し下げて開口部６０ａを開いた状態を保ちながら、孔開きプレート７を着脱する作業も非常に難しかった。
【０００７】
また、このような装身具は、体形の変化や着用する服装などに合わせて長さを調節したい場合があるが、上述したような従来の留め具は、装身具の両端を連結して無端状にするだけなので、長さを調節することはできなった。そこで、ネックレス等の装身具の途中にも止め輪を入れておいて、長さを調節できるようにしたものもあるが、決まった長さにしか調節できないし、その途中の止め輪を使用しないときにはそこだけ真珠等の宝玉が抜けて止め輪が見えるので、美観が損なわれるという問題もあった。また、引き輪やフックと止め輪や孔開きプレートによる連結部も装身具としての見栄えを損なう恐れがあった。
【０００８】
この発明は、これらの問題を解決するためになされたものであり、着脱操作が容易で確実に結合でき、しかも装身具の無端状（環状）部分の長さを任意に調節できて、見栄えも損なわない装身具用留め具を提供することを目的とする。
【課題を解決するための手段】
【０００９】
この発明による装身具用留め具は上記の目的を達成するため、閉ループの半周以上を構成し外周部に装身具接続部を設けた第１の弧状部材と、上記閉ループの残りの部分を構成する第２の弧状部材と、上記第１の弧状部材にその全内周に沿って嵌合されるバネ性を有する金属材からなる弧状弾性片とからなる。
【００１０】
そして、上記第１の弧状部材の一端部と第２の弧状部材の一端部とを上記閉ループを形成する面に直交する方向の軸によって相対回動可能に軸着し、上記弧状弾性片の一端部と長手方向の中間部をそれぞれ上記軸に平行な方向のピンによって上記第１の弧状部材に支持させ、上記弧状弾性片の他端部を上記第１の弧状部材の他端部から上記閉ループに沿う方向に突出させ、その突出部の内周側に係合用凹凸を設け、上記第２の弧状部材の他端部に上記弧状弾性片の突出部を挿入させる逃がし溝と上記係合用凹凸と係合する係止部とを設け、該他端部の外周側に爪掛け用の突起を設けたことを特徴とする。
【００１１】
上記第１の弧状部材と第２の弧状部材と弧状弾性片とを、いずれもホワイトゴールド等の貴金属によって形成するとよい。但し、弧状弾性片は地金にバネ性のあるものを使用することは当然である。
また、上記第１の弧状部材が上記閉ループの全周の２／３程度を構成するようにするのが望ましい。
上記弧状弾性片の突出部の内周側に上記閉ループに沿う方向に間隔を置いて複数の係合用凹凸を設ければ、上記第２の弧状部材の係止部によって２段階に係止することができる。
【発明の効果】
【００１２】
この発明による装身具用留め具は、上記第１の弧状部材の装身具接続部にネックレス等の装身具の一端を接続しておき、一方の手の指でその第１の弧状部材をつまんで、他方の手の指の爪を上記第２の弧状部材の突起に引っ掛けて外側へ引くと、その第２の弧状部材の係止部と上記弧状弾性片の突出部の上記係合用凹凸との係合がはずれ、第２の弧状部が外側に回動して、上記第１の弧状部材と第２の弧状部の軸着されていない方の端部間が大きく開く。そこで、装身具の任意の位置の宝玉間を第１の弧状部材の内周部に挿入して保持させ、第２の弧状部を押し戻すように回動すると、上記弧状弾性片の突出部が第２の弧状部の逃がし溝に挿入し、その係合用凹凸が上記係止部と係合して係止され、装身具が抜けなくなり、任意の大きさの無端状（環状）にすることができる。
【００１３】
勿論、装身具の他端に止め輪又は孔開きプレートを取り付けておき、それをこの留め具に挿入させて抜け止めし、装身具の両端部を連結することもできる。
このように、この発明による装身具用留め具は、着脱操作が容易で確実に結合でき、しかも装身具の無端状（環状）部分の長さを任意に調節できる。しかも、小さなリング状に形成できるので目立たず、装身具の見栄えを損なうこともない。
【発明を実施するための最良の形態】
【００１４】
以下、この発明の好ましい実施の形態を図面を参照して具体的に説明する。
〔第１実施例：図１〜図４と図９〕
まず、この発明による装身具用留め具の第１実施例を図１乃至図４と図９によって説明する。図１はその装身具用留め具の外観を示す平面図、図２はその構成部品を示す分解斜視図、図３はその組み付け後のロック状態を示す平断面図、図４はその開放状態を示す平断面図である。図９はその使用状態の一例を示す斜視図である。
【００１５】
図１に示す装身具用留め具１は、閉ループの半周以上（図示の例では２／３弱）を構成し外周部に装身具接続部１３を設けた第１の弧状部材１１と、上記閉ループの残りの部分（図示の例では１／３強）を構成する第２の弧状部材１２とによってリング状になっている。その第１の弧状部材１１には、図２に示すように全内周に沿って径方向に掘り込んだ円弧状の溝１１ａが形成されており、その溝１１ａにバネ性を有する金属材からなる弧状弾性片１４が嵌合されている。
【００１６】
そして、第１の弧状部材１１の一端部に形成した軸孔１１ｂと弧状弾性片１４の幅が広くなった基端部１４ａに形成された２つの軸孔１４ｂ、１４ｃの内側の軸孔１４ｂとに軸ピン１５を嵌入して、弧状弾性片１４の係止爪１４ｈを形成した基端部１４ａを第１の弧状部材１１に回り止めして支持し、基端部１４ａの軸孔１４ｃを形成した部分を第１の弧状部材１１の一端部から周方向に突出させる。また、第１の弧状部材１１の他端部寄りに形成した軸孔１１ｃと弧状弾性片１４の先端突出部１４ｄよりの膨出部１４ｅに形成された軸孔１４ｆとに軸ピン１６を嵌入して、弧状弾性片１４の膨出部１４ｅを第１の弧状部材１１に若干回動可能に支持する。
【００１７】
第２の弧状部材１２の一端部に形成された溝１２ａに弧状弾性片１４の基端部１４ａの突出部分を嵌入させ、第２の弧状部材１２の一端部に形成された軸孔１２ｂと弧状弾性片１４の基端部１４ａの外側の軸孔１４ｃとに軸ピン１７を嵌入して、第２の弧状部材１２の一端部と弧状弾性片１４の基端部１４ａとを相対回動可能に連結する。それによって、第１の弧状部材１１の一端部と第２の弧状部材１２の一端部とが弧状弾性片１４を介して、閉ループを形成する面に直交する方向の軸ピン１７によって相対回動可能に軸着される。
【００１８】
また、弧状弾性片１４の一端部（基端部１４ａ）と長手方向の中間部（膨出部１４ｅ）をそれぞれ軸ピン１７に平行な方向の軸ピン１５，１６によって第１の弧状部材１１に支持させ、基端部１４ａと膨出部１４ｅとの中間部を弧状弾性片１４の溝１１ａ内に設けた凸部１１ｄによって支持している。さらに、弧状弾性片１４の他端の先端突出部１４ｄを第１の弧状部材１１の他端部から閉ループに沿う方向に突出させ、その先端突出部１４ｄの内周側に係合用凹凸１４ｇを設けている。この例では係合用凹凸１４ｇを内周に沿って２組設けている。
【００１９】
一方、第２の弧状部材１２の他端部に、図３及び図４に示すように弧状弾性片１４の先端突出部１４ｄを挿入させる逃がし溝１２ｃと係合用凹凸１４ｇと係合する係止部１２ｇとを設け、その他端部の外周側に爪掛け用の突起１２ｄを設けている。
【００２０】
第１の弧状部材１１の外周部に設けた装身具接続部１３は、中空のカップ状に形成されているが、その直径方向に支持ピン１８を嵌入している。この支持ピン１８に装身具の宝玉を連接する糸条の端部を引っ掛けて装身具を接続する。
この装身具接続部１３を含む第１の弧状部材１１と第２の弧状部材１２と弧状弾性片１４とを、いずれもホワイトゴールド等の貴金属によって形成するのが望ましい。但し、弧状弾性片１４は地金にバネ性のあるものを使用する。
【００２１】
この装身具用留め具１は、図１及び図３に示すように第２の弧状部材１２の突起１２ｄを有する側の端部を第１の弧状部材１１の装身具接続部１３を設けた端部に押し付け、弧状弾性片１４の先端突出部１４ｄを逃がし溝１２ｃに完全に挿入させると、全体として開口のないリング状になる。このとき、弧状弾性片１４の係合用凹凸１４ｇが第２の弧状部材１２の係止部１２ｇに係合して係止されてロック状態になり、容易に開くことはない。
この例では係合用凹凸１４ｇを内周に沿って２組設けているので、まず先端寄りの係合用凹凸１４ｇが係止部１２ｇに係合して止まり、第２の弧状部材１２をさらに押し込むと、次の係合用凹凸１４ｇが係止部１２ｇに係合して、完全なロック状態になる。
【００２２】
この状態から、第１の弧状部材１１を一方の手の指で押さえながら、第２の弧状部材１２の突起１２ｄに他方の手の指の爪を掛けて強く引くと、弧状弾性片１４が若干撓んで係合用凹凸１４ｇと係止部１２ｇとの係合が外れ、第２の弧状部材１２が軸ピン１７を回転軸にして、図４の矢示Ａ方向に大きく回動し、第１の弧状部材１１との間に大きな開口ができる。
【００２３】
そこで、図９に示すように多数の真珠等の宝玉５１を糸条５２を通して連接した装身具５の一端部をこの留め具１の装身具接続部１３に接続し、装身具５の他端部に止め輪４を取り付けておく。そして、留め具１を図４に示す状態よりさらに第２の弧状部材１２を開いた状態で、止め輪４を挿通させた後、第２の弧状部材１２を閉じて図１及び図３に示すロック状にすれば、従来と同様に装身具５の両端部を連結して無端状にすることができる。
【００２４】
この場合、この発明による留め具１は第１の弧状部材１１と第２の弧状部材１２とが大きく開くので、止め輪４の着脱操作が容易で確実に結合でき、しかも、ロック状態では留め具１は小さなリング状になるので目立たず、装身具の見栄えを損なうこともない。
また、第１の弧状部材１１と第２の弧状部材１２とが大きく開くため、図９に示すように装身具５自体の連接する宝玉５１間を留め具１内に挿入して、第１の弧状部材１１と第２の弧状部材１２とで挟み込むようにしてロック状態にすることもできる。このようにすれば、装身具５を任意の位置で、無端状に連結することができ、無端状部分の長さを任意に調節することができる。しかも特別な補助部材等を必要とせず、構造が簡単で目立たない。
【００２５】
第１の弧状部材１１と第２の弧状部材１２が閉ループの全周に占める長さの比率は任意であるが、この実施例のように第１の弧状部材１１が閉ループの全周の２／３程度を構成するようにするのが、操作性や連結の確実性などの面から望ましい。
また、この実施例のように弧状弾性片１４の先端突出部１４ｄの内周側に、上記閉ループに沿う方向に間隔を置いて複数の係合用凹凸１４ｇを設ければ、第２の弧状部材１２の係止部１２ｇによって２段階に係止するため、ロック時の操作感を確実に得られる。
【００２６】
〔第２実施例：図５〜図８〕
次に、この発明による装身具用留め具の第２実施例を図５乃至図８によって説明する。図５はその装身具用留め具の外観を示す平面図、図６はその構成部品を示す分解斜視図、図７はその組み付け後のロック状態を示す平断面図、図８はその開放状態を示す平断面図である。なお、図６において、第１実施例の図２に示した軸ピン１５〜１７に相当する軸ピンの図示を省略している。
【００２７】
図５に示す装身具用留め具２は、閉ループの半周以上（図示の例では２／３弱）を構成し外周部に装身具接続部２３を設けた第１の弧状部材２１と、上記閉ループの残りの部分（図示の例では１／３強）を構成する第２の弧状部材２２とによって卵形のリング状になっている。その第１の弧状部材２１には、図６に示すように全内周に沿って径方向に掘り込んだ円弧状の溝２１ａが形成されており、その溝２１ａにバネ性を有する金属材からなる弧状弾性片２４が嵌合されている。
【００２８】
そして、第１の弧状部材２１の一端部に形成した軸孔２１ｂと弧状弾性片２４の幅が広くなった基端部２４ａに形成された２つの軸孔２４ｂ、２４ｃの内側の軸孔２４ｂとに軸ピン２５を嵌入して、弧状弾性片２４の係止爪２４ｈを形成した基端部２４ａを第１の弧状部材２１に回り止めして支持し、基端部２４ａの軸孔２４ｃを形成した部分を第１の弧状部材２１の一端部から周方向に突出させる。また、第１の弧状部材２１の他端部寄りに形成した軸孔２１ｃと弧状弾性片２４の先端突出部２４ｄよりの分岐部２４ｅに形成されたＵ溝２４ｆとに軸ピン２６を嵌入して、弧状弾性片２４の膨出部１４ｅを第１の弧状部材２１に若干回動可能に支持する。
【００２９】
第２の弧状部材２２の一端部に形成された溝２２ａに弧状弾性片２４の基端部２４ａの突出部分を嵌入させ、第２の弧状部材２２の一端部に形成された軸孔２２ｂと弧状弾性片２４の基端部２４ａの外側の軸孔２４ｃとに軸ピン２７を嵌入して、第２の弧状部材２２の一端部と弧状弾性片２４の基端部２４ａとを相対回動可能に連結する。それによって、第１の弧状部材２１の一端部と第２の弧状部材２２の一端部とが弧状弾性片２４を介して、閉ループを形成する面に直交する方向の軸ピン２７によって相対回動可能に軸着される。
【００３０】
また、弧状弾性片２４の一端部（基端部２４ａ）と長手方向の中間部（分岐部２４ｅ）をそれぞれ軸ピン２７に平行な方向の軸ピン２５，２６によって第１の弧状部材２１に支持させる。さらに、弧状弾性片２４の他端の先端突出部２４ｄを第１の弧状部材２１の他端部から閉ループに沿う方向に突出させ、その先端突出部２４ｄの内周側に係合用凹凸２４ｇを設けている。
【００３１】
一方、第２の弧状部材２２の他端部に、図７及び図８に示すように弧状弾性片２４の先端突出部２４ｄを挿入させる逃がし溝２２ｃと係合用凹凸２４ｇと係合する係止部２２ｇとを設け、その他端部の外周側に爪掛け用の突起２２ｄを設けている。
【００３２】
第１の弧状部材２１の外周部に設けた装身具接続部２３は、中空のカップ状に形成されているが、その直径方向に支持ピン２８を嵌入している。この支持ピン２８に装身具の宝玉を連接する糸条の端部を引っ掛けて装身具を接続する。
この装身具接続部２３を含む第１の弧状部材２１と第２の弧状部材２２と弧状弾性片２４とを、いずれもホワイトゴールド等の貴金属によって形成するのが望ましい。但し、弧状弾性片２４は地金にバネ性のあるものを使用する。
【００３３】
この装身具用留め具１も、図５及び図７に示すように第２の弧状部材２２の突起２２ｄを有する側の端部を第１の弧状部材２１の装身具接続部２３を設けた端部に押し付け、弧状弾性片２４の先端突出部２４ｄを逃がし溝２２ｃに完全に挿入させると、全体として開口のない卵形のリング状になる。このとき、弧状弾性片２４の係合用凹凸２４ｇが第２の弧状部材２２の係止部２２ｇに係合して係止されてロック状態になり、容易に開くことはない。
【００３４】
この状態から、第１の弧状部材２１を一方の手の指で押さえながら、第２の弧状部材２２の突起２２ｄに他方の手の指の爪を掛けて強く引くと、弧状弾性片２４が若干撓んで係合用凹凸２４ｇと係止部２２ｇとの係合が外れ、第２の弧状部材２２が軸ピン２７を回転軸にして、図８の矢示Ｂ方向に大きく回動し、第１の弧状部材２１との間に大きな開口ができる。
【００３５】
この装身具用留め具２の使用方法も、前述の第１実施例の装身具用留め具１について図９によって説明したのと同様であり、その効果も同様であるから、その説明を省略する。
このように、この発明による装身具用留め具のリング形状や大きさ、材質、表面処理（光沢／つや消し等）などは、使用する装身具やデザインなどによって適宜変更することができる。
【産業上の利用可能性】
【００３６】
この発明による装身具用留め具は、ネックレスやブレスレットなどの無端状に接続して使用する各種の装身具に適用できる。そして、この留め具は小型で簡単な構造であり、連結時の概観の見栄えがよく、操作性も極めてよい。しかも、無端状部分の長さを任意に調節することができるので、広範な利用が期待できる。
【図面の簡単な説明】
【００３７】
【図１】この発明による装身具用留め具の第１実施例の外観を示す平面図である。
【図２】同じくその構成部品を示す分解斜視図である。
【図３】同じくその組み付け後のロック状態を示す平断面図である。
【図４】同じくその開放状態を示す平断面図である。
【００３８】
【図５】この発明による装身具用留め具の第２実施例の外観を示す平面図である。
【図６】同じくその構成部品を示す分解斜視図である。
【図７】同じくその組み付け後のロック状態を示す平断面図である。
【図８】同じくその開放状態を示す平断面図である。
【図９】この発明による装身具用留め具の使用状態の一例を示す斜視図である。
【図１０】従来の装身具用留め具の一例を示す斜視図である。
【図１１】従来の装身具用留め具の他の例を示す斜視図である。
【符号の説明】
【００３９】
１，２：装身具用留め具    ３：引き輪    ４：止め輪    ５：装身具    
６：フック    ７：孔開きプレート    
１１，２１：第１の弧状部材    １１ａ，２１ａ：円弧状の溝    １１ｂ，１１ｃ，２１ｂ，２１ｃ：軸孔    １１ｄ：凸部
１２，２２：第２の弧状部材    １２ａ，２２ａ：溝    １２ｂ，２２ｂ：軸孔    
１２ｃ，２２ｃ：逃がし溝    １２ｄ，２２ｄ：突起    １２ｇ，２２ｇ：係止部
１３，２３：装身具接続部    １４，２４：弧状弾性片    １４ａ，２４ａ：基端部
１４ｂ，１４ｃ，１４ｆ，２４ｂ，２４ｃ：軸孔
１４ｄ，２４ｄ：先端突出部    １４ｅ：膨出部    １４ｇ，２４ｇ：係合用凹凸
１４ｈ，２４ｈ：係止爪    ２４ｅ：分岐部
１５，１６，１７，２５，２６，２７：軸ピン    １８，２８：支持ピン
５１：宝玉    ５２：糸条
【図１】
2007301174.tif 000003
【図２】
2007301174.tif 000004
【図３】
2007301174.tif 000005
【図４】
2007301174.tif 000006
【図５】
2007301174.tif 000007
【図６】
2007301174.tif 000008
【図７】
2007301174.tif 000009
【図８】
2007301174.tif 000010
【図９】
2007301174.tif 000011
【図１０】
2007301174.tif 000012
【図１１】
2007301174.tif 000013